(57)【特許請求の範囲】
【請求項１】
第１軸心（Ｃ1 ）を中心として相互揺動可能に枢結された第１アーム（１）と第２アーム（２）とを備え、
上記第２アーム（２）側には、上記第１軸心（Ｃ1 ）を中心とした円弧線に沿って形成されたギア部（４）を備え、かつ、該ギア部（４）は所定間隔をもって平行な２枚のギア板部（45)(45）をもって構成され、
さらに、上記第１軸心（Ｃ1 ）を中心側とした場合に上記ギア部（４）の外周歯面より外方側位置に、上記外周歯面との間にくさび形の空間部を形成するくさび面（８）を、上記第１アーム（１）側に於て形成し、
しかも、該くさび形の空間部内に移動可能であって、かつ、一面側が上記ギア部（４）の外周歯面に対して同時に複数の全ての歯が噛合可能な歯面（７）とされ、他面側が上記くさび面（８）に当接する当接面（９）とされた浮動くさび部材（６）を、備え、
上記浮動くさび部材（６）の上記当接面（９）が上記くさび面（８）に当接し、かつ、上記歯面（７）の複数の歯が同時に上記ギア部（４）に噛合し、しかも、上記２枚のギア板部（45)(45）を有する上記ギア部（４）に上記浮動くさび部材（６）は、左右幅方向の２箇所で、噛合し、上記ギア部（４）とくさび面（８）との間に挟まれた浮動くさび部材（６）のくさび作用により、上記第２アーム（２）が上記第１アーム（１）に対して展開方向へ揺動するのを抑制するように構成したことを特徴とする角度調整金具。
【請求項２】
上記浮動くさび部材（６）の上記歯面（７）は、上記ギア部（４）のピッチ円の曲率半径と同一となる面に複数の歯が形成されることによって、上記浮動くさび部材（６）の上記歯面（７）の複数の全ての歯が同時に上記ギア部（４）の外周歯面に噛合可能に構成した請求項１記載の角度調整金具。
【請求項３】
背部（15）と座部（16）とを備えると共に、上記背部（15）の傾斜角度を調整するように上記背部（15）と座部（16）との間に角度調整金具（Ａ）を配設した座いすに於て、
上記角度調整金具（Ａ）は、
第１軸心（Ｃ1 ）を中心として相互揺動可能に枢結された第１アーム（１）と第２アーム（２）とを備え、
上記第２アーム（２）側には、上記第１軸心（Ｃ1 ）を中心とした円弧線に沿って形成されたギア部（４）を備え、かつ、該ギア部（４）は所定間隔をもって平行な２枚のギア板部（45)(45）をもって構成され、
さらに、上記第１軸心（Ｃ1 ）を中心側とした場合に上記ギア部（４）の外周歯面より外方側位置に、上記外周歯面との間にくさび形の空間部を形成するくさび面（８）を、上記第１アーム（１）側に於て形成し、
しかも、該くさび形の空間部内に移動可能であって、かつ、一面側が上記ギア部（４）の外周歯面に対して同時に複数の全ての歯が噛合可能な歯面（７）とされ、他面側が上記くさび面（８）に当接する当接面（９）とされた浮動くさび部材（６）を、備え、
上記浮動くさび部材（６）の上記当接面（９）が上記くさび面（８）に当接し、かつ、上記歯面（７）の複数の歯が同時に上記ギア部（４）に噛合し、しかも、上記２枚のギア板部（45)(45）を有する上記ギア部（４）に上記浮動くさび部材（６）は、左右幅方向の２箇所で、噛合し、上記ギア部（４）とくさび面（８）との間に挟まれた浮動くさび部材（６）のくさび作用により、上記第２アーム（２）が上記第１アーム（１）に対して展開方向へ揺動するのを抑制するように構成されていることを、
特徴とする座いす。
【発明の詳細な説明】
【技術分野】
【０００１】
本発明は、一方側の部材と他方側の部材との成す角度を任意に設定できる関節部材となる角度調整金具、及び、その角度調整金具を備えた座いすに関するものである。
【背景技術】
【０００２】
例えば、図１の斜視図に示すような背部15と座部16とを有する座いすは、背部15の傾斜角度を調整できるよう背部15と座部16との間に角度調整機能を有する金具───角度調整金具Ａ───を備えている。
従来のこの金具は、一方側（座部16側）と連結させた第１アームのケース部内に、他方側（背部15側）の第２アームが有するギアと、爪片とを枢支させ、この爪片のギアへの噛合により第１アームに対する第２アームの展開方向（背部15の倒れ方向）への揺動を抑止するよう構成されている（例えば、特許文献１参照）。
第１アームと第２アームとの間に作用する力（揺動を抑止するために必要な力）は、人間の体重を支えることとなり、非常に大きいため、従来の金具は、爪片、ギアの歯が大きくなり、そのため、ギアの歯ピッチも荒くなる。つまり、必要強度の関係で、爪片、ギアを小さくすることができなかった。
従って、爪片、ギアを収納するケース部が大きくなり、また、ギアの歯数は少なく（ピッチが大きく）角度切り換えの段数が少なく、微調整ができないというものであった。
【先行技術文献】
【特許文献】
【０００３】
【特許文献１】実公昭５９−２０１１８号公報
【発明の概要】
【発明が解決しようとする課題】
【０００４】
解決しようとする課題は、角度の切り換え段数を多くできない点である。また、構成部品が大きいため金具全体が大きくなってしまう点である。
【課題を解決するための手段】
【０００５】
本発明に係る角度調整金具は、第１軸心を中心として相互揺動可能に枢結された第１アームと第２アームとを備え；上記第２アーム側には、上記第１軸心を中心とした円弧線に沿って形成されたギア部を備え、かつ、該ギア部は所定間隔をもって平行な２枚のギア板部をもって構成され；さらに、上記第１軸心を中心側とした場合に上記ギア部の外周歯面より外方側位置に、上記外周歯面との間にくさび形の空間部を形成するくさび面を、上記第１アーム側に於て形成し；しかも、該くさび形の空間部内に移動可能であって、かつ、一面側が上記ギア部の外周歯面に対して同時に複数の全ての歯が噛合可能な歯面とされ、他面側が上記くさび面に当接する当接面とされた浮動くさび部材を、備え；上記浮動くさび部材の上記当接面が上記くさび面に当接し、かつ、上記歯面の複数の歯が同時に上記ギア部に噛合し、しかも、上記２枚のギア板部を有する上記ギア部に上記浮動くさび部材は、左右幅方向の２箇所で、噛合し、上記ギア部とくさび面との間に挟まれた浮動くさび部材のくさび作用により、上記第２アームが上記第１アームに対して展開方向へ揺動するのを抑制するように構成したものである。
また、上記浮動くさび部材の上記歯面は、上記ギア部のピッチ円の曲率半径と同一となる面に複数の歯が形成されることによって、上記浮動くさび部材の上記歯面の複数の全ての歯が同時に上記ギア部の外周歯面に噛合可能に構成したものである。
【０００６】
また、本発明は、背部と座部とを備えると共に、上記背部の傾斜角度を調整するように上記背部と座部との間に角度調整金具を配設した座いすに於て；上記角度調整金具は；第１軸心を中心として相互揺動可能に枢結された第１アームと第２アームとを備え；上記第２アーム側には、上記第１軸心を中心とした円弧線に沿って形成されたギア部を備え、かつ、該ギア部は所定間隔をもって平行な２枚のギア板部をもって構成され；さらに、上記第１軸心を中心側とした場合に上記ギア部の外周歯面より外方側位置に、上記外周歯面との間にくさび形の空間部を形成するくさび面を、上記第１アーム側に於て形成し；しかも、該くさび形の空間部内に移動可能であって、かつ、一面側が上記ギア部の外周歯面に対して同時に複数の全ての歯が噛合可能な歯面とされ、他面側が上記くさび面に当接する当接面とされた浮動くさび部材を、備え；上記浮動くさび部材の上記当接面が上記くさび面に当接し、かつ、上記歯面の複数の歯が同時に上記ギア部に噛合し、しかも、上記２枚のギア板部を有する上記ギア部に上記浮動くさび部材は、左右幅方向の２箇所で、噛合し、上記ギア部とくさび面との間に挟まれた浮動くさび部材のくさび作用により、上記第２アームが上記第１アームに対して展開方向へ揺動するのを抑制するように構成されているものである。
【発明の効果】
【０００７】
本発明の角度調整金具は、第１アームと第２アームとが展開方向へ揺動しようとする際、浮動くさび部材の外方側の当接面がくさび面に当接し、かつ、第２アームのギア部に噛合する浮動くさび部材により、ギア部の中心に向かう圧迫力として力が作用するため、第１アームと第２アームの双方は展開方向へ揺動することが決してない。
また、ギア部の引っ掛かりのみにて揺動を抑止するのではなく、浮動くさび部材におけるくさび面との当接力とギア部との噛合と上記圧迫力とにより揺動を抑止するため、ギア部の歯が小さくても、大きな荷重を受け持つことができる。しかも、複数の歯が全て同時に噛合するので一層大きな荷重を受け持つことができる。また、ギア部の歯を小さくすることで、ギア部の歯数を増やすことができ、角度の切り換え段数を多くすることが可能となる。従って、折り畳み角度の微調整が可能となる。
しかも、ギア部が、相互に平行な２枚のギア板部から成るので、浮動くさび部材は、左右にがたつくことなく安定してギア部に噛合し、誤作動が起こる虞れがない。
また、座いすとして、背部の傾斜角度の切り換え段数が多くなって、折り畳み角度の微調整が可能となる。
【図面の簡単な説明】
【０００８】
【図１】本発明の角度調整金具を有する座いすの斜視図である。
【図２】角度調整金具の斜視図である。
【図３】説明用の斜視図であって、（ａ）は角度調整金具の説明用分解斜視図で、（ｂ）は浮動くさび部材を成形するための長尺状引抜き材の説明用の斜視図である。
【図４】浮動くさび部材とギア部とくさび形窓部を説明する説明図である。
【図５】説明用要部斜視図である。
【図６】脱落防止カバーを示す側面図であって、（ａ）は第１アームとの位置関係を示す側面図で、（ｂ）は第２アーム２との位置関係を示す断面側面図である。
【図７】最大展開状態にある角度調整金具の側面図である。
【図８】任意の傾斜角度とされた角度調整金具の側面図である。
【図９】最大折り畳み状態にある角度調整金具の側面図である。
【図１０】角度保持解除状態とさせる角度調整金具の側面図である。
【図１１】展開方向へ第２アームを戻す状態にある角度調整金具の側面図である。
【図１２】最大展開状態から角度設定を行なう動作を説明する要部側面図である。
【図１３】最大折り畳み状態から展開方向へ第２アームを戻す動作を説明する要部側面図である。
【図１４】第２アームを加工するための板体を示す説明用正面図である。
【図１５】説明用要部側面図である。
【発明を実施するための形態】
【０００９】
本発明に係る角度調整金具は、例えば、図１の斜視図に示すように、背部15と座部16とを有する座いすにおいて、背部15の傾斜角度を調整できるよう背部15と座部16との間に配設されるものである。つまり、この角度調整金具Ａは、角度調整機能を有する関節金具（連結金具）である。なお、この金具Ａは、座いす以外にも、ソファー、ヘッドレスト、フットレスト等にも使用可能であり、また、２つの構成部材が揺動するものに組み込み可能であり、その他に、扉を揺動開閉させる棚等にも使用できる。
【００１０】
図２はこの角度調整金具Ａの斜視図であり、図３はその分解斜視図である。
本発明の角度調整金具Ａは、ケース部３を備える第１アーム１と、ケース部３にて第１アーム１と第１軸心Ｃ1 廻りに揺動可能に枢結されると共に第１軸心Ｃ1 を中心とするギア部４を備える第２アーム２と、を備える。つまり、第１軸心Ｃ1 を中心として、第１アーム１と第２アーム２とが相互揺動可能となるよう枢着されている。
【００１１】
第１アーム１は、一対の対面する壁部17，17を有するケース部３と、ケース部３から延伸する第１取付部18と、を有し、第１取付部18は、図１では差し込み固定ができるよう円筒形状とされている。
また、第２アーム２は、相互に平行な２枚のギア板部45，45から成り上記ケース部３の内部に収容状態とされるギア部４と、ギア部４から延伸する第２取付部19と、を有し、第２取付部19は、図１では差し込み固定ができるよう円筒形状とされている。
【００１２】
この第２アーム２は、図14に示したように、左右対称の２枚のギア板部45，45を有する一枚の板体40を、ギア板部45，45が所定間隔をもって平行となるように折曲加工して成る。ギア板部45，45は、その略中央に、貫通孔22，22が設けられ、板体40を折曲加工した場合に、貫通孔22，22が、第１軸心Ｃ1 を中心とする軸孔を構成する。板体40は、鉄鋼材等から成る。
【００１３】
ギア部４は、第１軸心Ｃ1 を中心とした円弧線に沿って形成されており、図３に示すように、四半円（９０°）を少し（１０〜３０°）越える範囲（１００〜１２０°）にギア（歯）を有する。なお、第１・第２取付部18，19の形状は、ボルトによる連結可能な構造や他の構造でもよい。
【００１４】
そして、図１においては、第１アーム１が有する第１取付部18に座部16のフレームが取着され、第２アーム２が有する第２取付部19に背部15のフレームが取着され、背部15が座部16に対して揺動し、背部15がリクライニングしかつ任意の傾斜角度にて保持される。
【００１５】
また、図２と図３に示したように、第１アーム１のケース部３が有する壁部17，17夫々の中央部に、貫通孔21，21が設けられている。
そして、第１アーム１と第２アーム２は、軸部材20により枢結される。即ち、第２アーム２のギア部４を、第１アーム１の壁部17，17に挟んだ状態として、軸部材20を、第１アーム１の貫通孔21，21・第２アーム２の貫通孔22，22に挿通させてかしめ加工することで、第２アーム２が、第１アーム１に対し第１軸心Ｃ1 廻りに揺動可能となる。
【００１６】
さらに、図３，図４及び図５に示したように、角度調整金具Ａは、第１アーム１のケース部３に形成されるくさび形窓部５を備えている。くさび形窓部５は、ケース部３の壁部17，17に夫々同一形状で形成されており、ケース部３を貫通状としている。
くさび形窓部５は、第１軸心Ｃ1 側に向かって凹となるよう弧状に形成された貫通孔であり、第１軸心Ｃ1 を中心側とした場合のこの貫通孔の外方側の面にはギア部４より外方側位置となる円弧状のくさび面８が形成され、内方側位置の面には第１軸心Ｃ1 を中心としギア部４よりも小径の円弧面23が形成されている。従って、ギア部４の歯は、くさび形窓部５から見える状態となる。
【００１７】
くさび面８は、第１軸心Ｃ1 と偏心する第２軸心Ｃ2 を中心とした円弧形状に形成されており、図４に示すように、第１アーム１を左手側とし第２アーム２を右手側とした場合に、くさび形窓部５は時計廻り方向に縮小する───くさび面８がギア部４に接近していく───くさび形の孔となる。
つまり、外方側のくさび面８とギア部４の外周歯面との間において空間部が形成され、その空間部に後述する浮動くさび部材６が配設される。
【００１８】
さらに、角度調整金具Ａは浮動くさび部材６を備えており、この部材６は、くさび形窓部５内にて移動可能に配設され、かつ、一面側（内方側の面）がギア部４に噛合可能な歯面７とされ、他面側（外方側の面）がくさび形窓部５の外方側のくさび面８に当接する当接面９とされている。
当接面９は、くさび形窓部５のくさび面８の曲率半径と（略）同一とされている。歯面７はギア部４のピッチ円の曲率半径と同一となる面に複数の歯が形成されており、これら歯が同時に全てギア部４と噛み合うようされている。
【００１９】
くさび形窓部５は、第２アーム２にて下方に押し返された浮動くさび部材６を収容して歯面７とギア部４との噛合状態を解除させる退避空間部11を、有する。
かつ、第２アーム２は、浮動くさび部材６を折り畳み方向に押圧する押し返し突部10を、ギア部４の一端側（上部側）に有し、かつ、くさび形窓部５の退避空間部11に収容された浮動くさび部材６を押し出す押し出し突部12を、ギア部４の他端側（下部側）に、有する。
【００２０】
また、浮動くさび部材６の幅寸法はケース部３の幅寸法と略同一とされている。つまり、浮動くさび部材６の当接面９の両側縁部の面がくさび形窓部５（壁部17，17）のくさび面８に当接可能となる。
この浮動くさび部材６は、図３（ｂ）に示したような鉄鋼材から成る長尺状引抜き材43を、所定長さに切断して、形成される。
【００２１】
また、第１アーム１のケース部３は、浮動くさび部材６を第２アーム２のギア部４へ押し付ける方向に弾発付勢する弾発部材13を、有している。弾発部材13は、鋼線材をＵ字状に折り返して形成したバネ部材であり、両端部が壁部17，17間のケース部３に固定され中央部が浮動くさび部材６の当接面９の中央領域に当接する。そして、浮動くさび部材６をギア部４へ弾発付勢している（図５参照）。
【００２２】
次に、図２，図３，図６及び図15に示したように、角度調整金具Ａは、浮動くさび部材６がくさび形窓部５から脱落するのを防止する脱落防止カバー33を、具備する。この脱落防止カバー33は、ケース部３を左右外側から包囲するように配設されるものであり、正面視に於て、上方開口状横倒略コの字状の薄板体である。
具体的には、脱落防止カバー33は、左右側壁34，34と、ケース部３を下方から包囲するように左右側壁34，34の下端縁を橋絡する底壁35と、底壁35の後端に連設されて後上方へ弯曲状に形成されたコーナー壁部36と、を有する。
コーナー壁部36は、その上端が、第２アーム２が略 180°展開した状態となった際にその下辺部に当接しない高さとなるように、形成されている（図６（ｂ）参照）。この構成により、コーナー壁部36は、第２アーム２が展開状態に揺動する妨げにならない。
【００２３】
さらに、各側壁34は、ケース部３のくさび形窓部５に対応する位置に、ケース部３の壁部17の外面との間に僅かな隙間を形成する離間面部34ａが、小段差部をもって形成される。この離間面部34ａにより、浮動くさび部材６の左右端面と、左右側壁34，34との間の摩擦力が低く、浮動くさび部材６はくさび形窓部５内をスムースに移動可能となる。
また、各側壁34は、上記貫通孔21，22に対応する位置に、軸部材20を通すための孔部37が、設けられている。
【００２４】
次に、図２，図３，図７〜図９に示したように、角度調整金具Ａは、ギア部４と浮動くさび部材６とを上方から包囲する異物侵入防止部材26を、有する。この異物侵入防止部材26は、第１アーム１の壁部17，17間にて、第１軸心Ｃ1 廻りに揺動自在に枢着される。
具体的には、異物侵入防止部材26は、前後方向帯板状傘頭部29と、傘頭部29の下方に延設された平板状揺動板片30とを有する。揺動板片30は、先端突部32側が前方下傾状となるように、側面視くの字形状に形成されると共に、軸部材20を通すための孔部31が、中間位置に貫設されている。
傘頭部29の横幅は、第１アーム１の壁部17，17の間隔より僅かに小さく設定される。
異物侵入防止部材26は、上記揺動板片30の先端突部32が浮動くさび部材６の下方に配設された状態で、揺動するので（図７〜図９参照）、第２アーム２が揺動する過程において、傘頭部29は、ギア部４・浮動くさび部材６を上方から常時包囲して、異物の侵入を防止する。
【００２５】
次に、折り畳み・展開揺動動作する第１アーム１と第２アーム２の角度調整機能について説明する。
図７〜図11は、その動作を説明する角度調整金具Ａの正面図であり、説明のためにケース部３の一方側（手前側）の壁部17を途中から無くした（省略した）図としている。
また、図12と図13は、ギア部４とくさび形窓部５内の浮動くさび部材６の動作を説明する要部正面図である。
【００２６】
第１アーム１と第２アーム２とは、相互が離れた最大展開状態（図７）───第１アーム１と第２アーム２とが直線状（１８０°の位相）となる状態───から徐々に第２アーム２が第１軸心Ｃ1 廻りに揺動し、第１アーム１との間で任意の折り畳み角度で折り畳み状（傾斜状）となり（図８）、相互が略直角となる所定の最大折り畳み状態となる（図９）。
【００２７】
図12と図13と共に説明すると、図12（ａ）は図７の状態に対応し、浮動くさび部材６はギア部４に噛み合うと共にくさび面８に当接し、第２アーム２は図７において時計廻りにこれ以上揺動しない（ロックがかかる）。
この状態から図８に示すように第２アーム２を起立させる方向へ揺動させると、図12（ｂ）に示すように、弾発部材13（図５参照）にてギア部４へ弾発付勢され噛合する浮動くさび部材６の当接面９は、窓部５のくさび面８から離れて、くさび面８との間にわずかな隙間ｄが生じる。そして、第２アーム２の起立動作により図12（ｃ）に示すように、浮動くさび部材６の誘導勾配面（段付き面）27がくさび形窓部５の当り用段付部28と当接状となって、隙間ｄにより浮動くさび部材６の歯面７がギア部４から離れることができ、浮動くさび部材６の歯面７がギア部４をカチカチと音をたて乗り越えることができる。
【００２８】
この浮動くさび部材６の誘導勾配面27は、浮動くさび部材６の歯面７の後縁部に形成され、くさび形窓部５の段付部28は、くさび形窓部５の内方側の円弧面23に上記勾配面27と当接可能となるよう形成されている。
【００２９】
したがって、浮動くさび部材６は、歯面７がギア部４に噛合し、かつ、当接面９がくさび面８に当接し、ギア部４とくさび面８との間に挟まれる浮動くさび部材６のくさび作用により、第２アーム２が第１アーム１に対して展開方向へ揺動するのを抑制している。
つまり、任意の折り畳み角度（傾斜角度）に第１アーム１と第２アーム２とを維持させることができる。
【００３０】
そして、図13（ｄ）に示すように、第２アーム２は、第１アーム１に対して所定折り畳み角度を越えて最大折り畳み状態（図９）まで揺動すると、押し返し突部10が浮動くさび部材６を折り畳み方向に押圧する。
つまり、ギア部４（歯形成部）の一端部側に押し返し突部10が形成されており、この状態で、押し返し突部10が浮動くさび部材６の歯面７の前縁部に当接する。
【００３１】
そして、図10と図13（ｅ）に示すように、第２アーム２を最大折り畳み状態からさらに折り畳み方向へ揺動させると、押し返し突部10にて押し返された浮動くさび部材６（誘導勾配面27）が、上記段付部28を乗り越え、くさび形窓部５が有する退避空間部11に収容され、浮動くさび部材６の歯面７とギア部４との噛合状態を解除させる。つまり、退避空間部11に収容された浮動くさび部材６はギア部４から離れた状態にある。
【００３２】
従って、第２アーム２は、第１アーム１に対してフリー（揺動自在）となり図11のように、展開方向へ揺動自在となり、図７の最大展開状態へと戻すことができる。
そして、第２アーム２は、第１アーム１に対して所定角度（１８０°）の最大展開状態まで展開揺動させると、図13（ｆ）に示すように、退避空間部11に収容された浮動くさび部材６を押し出して歯面７とギア部４とを噛合状態とさせる押し出し突部12を有する。
【００３３】
押し出し突部12は、ギア部４の（押し返し突部10が形成された一端部側と反対側の）他端部側に形成されており、最大展開状態を得ると、突部12が浮動くさび部材６の誘導勾配面27を押圧して、浮動くさび部材６を退避空間部11から押出し、図12（ａ）の状態へと戻すことができる。
【００３４】
つまり、くさび形窓部５内における浮動くさび部材６の動作は、最大展開状態から最大折り畳み状態までは、浮動くさび部材６は、ギア部４とくさび面８とに挟まれてくさび作用により、くさび面８側の第１アーム１とギア部４側の第２アーム２とを任意の折り畳み角度（傾斜角度）に調整可能でその角度を維持させることができ、最大折り畳み状態を越えると、浮動くさび部材６は押し返し突部10により押圧されてくさび形窓部５の退避空間部11内に収容され、第１アーム１と第２アーム２とは揺動自由状態となる。
そして、最大展開状態に戻されると、浮動くさび部材６は押し出し突部12により押圧されて退避空間部11から押し出され、ギア部４と再び噛合状態となる。
【００３５】
また、座部の前部が斜め上方に浮くように座いすを傾けて座って、角度調整金具Ａが図15に示したような状態になった場合、脱落防止カバー33のコーナー壁部36が、床面Ｆに対し、緩やかな弯曲面をもって当接するので、床面Ｆに作用する面圧が過大になるのが防止され、床面Ｆの損傷が防がれる。
なお、図示省略するが、座いすが、角度調整金具Ａをクッション材や被覆布等で包囲するように、製造された場合に於ても、金具Ａが上記被覆布等に作用する面圧が過大になるのを防止でき、被覆布が破れる等の破損が起こりにくく、長持ちさせることができる。
【００３６】
以上のように、本発明に係る角度調整金具は、ケース部３を備える第１アーム１と、ケース部３にて第１アーム１と第１軸心Ｃ1 廻りに揺動可能に枢結されると共に相互に平行な２枚のギア板部45，45から成るギア部４を備える第２アーム２と、第１アーム１のケース部３に形成されるくさび形窓部５と、くさび形窓部５内にて移動可能に配設されかつ一面側がギア部４に噛合可能な歯面７とされ他面側がくさび形窓部５の外方側のくさび面８に当接する当接面９とされて歯面７がギア部４に噛合しかつ当接面９がくさび面８に当接し第２アーム２が第１アーム１に対して展開方向へ揺動するのを抑制する浮動くさび部材６と、を具備するので、第１アーム１と第２アーム２とが展開方向へ揺動しようとする際、浮動くさび部材６の外方側の当接面９がくさび形窓部５のくさび面８に当接し、かつ、第２アーム２のギア部４に噛合する浮動くさび部材６によりギア部４の中心に向かう圧迫力として作用するため、第１アーム１と第２アーム２の双方は展開方向へ揺動することが決してない。
【００３７】
また、ギア部４の引っ掛かりのみにて揺動を抑止するのではなく、浮動くさび部材６におけるくさび面８との当接力と、ギア部４との噛合と、上記圧迫力と、により揺動を抑止するため、ギア部４の歯（モジュール）は小さくても、大きな荷重を受け持つことができ、十分な強度を有するものとできる。また、ギア部４の歯を小さくすることで、ギア部４の歯数を増やすことができ、角度の切り換え段数を多くすることが可能となる。従って、折り畳み角度のピッチが小さくなって微調整が行なえる。つまり、座いすやソファーに適用した場合、快適な傾斜角度の背部15が得られる。
しかも、ギア部４が、相互に平行な２枚のギア板部45，45から成るので、浮動くさび部材６は、左右にがたつくことなく安定してギア部４に噛合して、スムースにくさび形窓部５内を移動し、誤作動が起こる虞れがない。
さらに、ケース部３を小さく構成させることができ金具全体の小型化が図れ、座いすやソファーに使用し、カバー内に金具Ａを配設した場合に、カバーが破れるおそれがない。
【００３８】
また、第２アーム２は、左右対称の２枚のギア板部45，45を有する一枚の板体40を、ギア板部45，45が所定間隔をもって平行となるように折曲加工して成るので、部品点数を少なくすることができ、成形の手間が少なくて済む。
【００３９】
また、ケース部３内にて第１軸心Ｃ1 廻りに揺動可能に枢着され、第２アーム２のギア部４を上方から覆うように配設された異物侵入防止部材26を、具備するので、ギア部４と浮動くさび部材６との間に、ゴミ等の異物が侵入して動作しなくなるのを、効率よく防ぐことができ、故障の発生を防ぐことができる。
【００４０】
また、浮動くさび部材６は、鉄鋼材から成る長尺状引抜き材43を切断して、成形されるので、成形が容易となり、大量生産が可能である。
【００４１】
また、ケース部３を左右外側から包囲するように配設され、浮動くさび部材６がくさび形窓部５から脱落するのを防止する脱落防止カバー33を、具備するので、使用に際し、浮動くさび部材６がくさび形窓部５から脱落するのが確実に防がれ、浮動くさび部材６の誤動作や、故障の発生を防ぐことができる。
【００４２】
また、脱落防止カバー33は、左右側壁34，34と、ケース部３を下方から包囲するように左右側壁34，34の下端縁を橋絡する底壁35と、底壁35の後端に連設されて後上方へ弯曲状に形成されたコーナー壁部36と、を有するので、座部16の前部が斜め上方に浮くように座いすを傾けて座った場合でも、コーナー壁部36が床面Ｆに対し、緩やかな面をもって当接し、床面Ｆに作用する面圧が過大になるのが防止できて、床面Ｆの損傷を抑えることができる。
あるいは、座いすが、金具Ａをクッション材や被覆布等で包囲されて、製造された場合は、被覆布に作用する面圧が過大になるのが防止され、被覆布等の破損が発生しにくく、長持ちさせることができる。
【００４３】
また、第２アーム２は、第１アーム１に対して所定折り畳み角度を越えて揺動すると浮動くさび部材６を折り畳み方向に押圧する押し返し突部10を有し、くさび形窓部５は、押し返し突部10にて押し返された浮動くさび部材６を収容して歯面７とギア部４との噛合状態を解除させる退避空間部11を有し、さらに、第２アーム２は、第１アーム１に対して展開揺動させると退避空間部11に収容された浮動くさび部材６を押し出して歯面７とギア部４とを噛合状態とさせる押し出し突部12を有するので、浮動くさび部材６のくさび形窓部５内における移動により、ギア部４との噛合を解除させたり、再び噛合可能状態とさせることができ、第２アーム２と第１アーム１との角度調整動作が極めて簡単である。
【００４４】
また、ギア部４は、第１軸心Ｃ1 を中心として形成され、くさび形窓部５のくさび面８は、第１軸心Ｃ1 と偏心する第２軸心Ｃ2 を中心とした円弧形状に形成されているので、効果的なくさび作用を発揮させ、また、浮動くさび部材６の移動、ギア部４との噛合・噛合解除動作がスムーズとなる。そして、上述した角度調整金具に関する作用・効果は、座いすとしても、大きな利点となる。
【符号の説明】
【００４５】
１  第１アーム
２  第２アーム
４  ギア部
６  浮動くさび部材
７  歯面
８  くさび面
９  当接面
15  背部
16  座部
Ａ  角度調整金具
Ｃ1 第１軸心
【図１】
0005390643.tif 000002
【図２】
0005390643.tif 000003
【図３】
0005390643.tif 000004
【図４】
0005390643.tif 000005
【図５】
0005390643.tif 000006
【図６】
0005390643.tif 000007
【図７】
0005390643.tif 000008
【図８】
0005390643.tif 000009
【図９】
0005390643.tif 000010
【図１０】
0005390643.tif 000011
【図１１】
0005390643.tif 000012
【図１２】
0005390643.tif 000013
【図１３】
0005390643.tif 000014
【図１４】
0005390643.tif 000015
【図１５】
0005390643.tif 000016